(57)【要約】【課題】温度、湿度のムラの発生を防止しつつ、コンピューターサーバールーム内の温度、湿度を確実に管理可能であるとともに、省エネを達成可能とする。【解決手段】サーバーラック２３の天井に配置される排気口３と、排気路４を介して排気口３と連通された空調機２と、供給口２００１を介して空調機２に連通され、給気口５を介してサーバーラック２３に連通した給気空間６を備え、空調機２は、排気路４に連通した吸入室７と、吸入室７に連通し、外部排気口８を有した排気室９と、循環口１１を介して排気室９と連通し、外気取り込み口１３を有した混合室１２と、フィルター１４を介して混合室１２に連通し、送風機１６を備えた送風機設置室１５と、送風機１６を介して送風機設置室１５に連通し、加湿器１８を備えた加湿制御室１７と、冷却手段１９を介して加湿制御室１７に連通し、供給口２００１を介して給気空間６に連通した冷却室２０を備えた。【選択図】図１
2010266085.tif 000002
【特許請求の範囲】
【請求項１】
コンピューターサーバールーム内に設置された、内部にコンピューターサーバーが収容されたサーバーラック（２３）内に、所望する温度及び湿度にした空気を供給し、それにより、前記サーバーラック内の温度を管理するためのコンピューターサーバールーム用温度管理システムであって、
サーバーラック（２３）の天井に配置される排気口（３）と、
排気路（４）を介して前記排気口（３）と連通された空調機（２）と、
供給口（２００１）を介して前記空調機（２）に連通されるとともに、給気口（５）を介して前記サーバーラック（２３）に連通した、コンピューターサーバールームの床下に形成された給気空間（６）と、を備え、
前記空調機（２）は、
前記排気路（４）に連通した吸入室（７）と、
排気ファン（８０２）を備えた排気取り込み口（８）を介して前記吸入室（７）に連通するとともに、前記排気取り込み口（８）を介して内部に取り込んだサーバーラック（２３）からの排気を空調機（２）の外部に排出するための外部排気口（１０）を有した排気室（９）と、
開閉自在とした循環口（１１）を介して前記排気室（９）と連通するとともに、空調機（２）の外部の空気を取り込むための外気取り込み口（１３）を有した混合室（１２）と、
フィルター（１４）を介して前記混合室（１２）に連通するとともに、その内部に送風機（１６）を備えた送風機設置室（１５）と、
前記送風機（１６）を介して前記送風機設置室（１５）に連通するとともに、その内部に加湿器（１８）を備えた加湿制御室（１７）と、
冷却手段（１９）を介して前記加湿制御室（１７）に連通するとともに、前記供給口（２００１）を介して前記給気空間（６）に連通した冷却室（２０）と、を備えて、
前記サーバーラック（２３）内の空気を、前記吸入室（７）及び排気取り込み口（８）を介して前記排気室（９）に取り込み、
前記供給口（２００１）の温度湿度に応じて、
前記外部排気口（１０）を介して、排気室（９）に取り込んだ空気を０〜１００％の間で外部に排気し、
前記循環口（１１）を介して、前記排気室（９）内の空気を混合室（１２）に取り込み、
前記外気取り込み口（１３）を介して、前記外部排気口（１０）を介して外部に排気した空気量に応じて、外気を０〜１００％の間で前記混合室（１２）に取り込み、それにより、前記循環口（１１）を介して取り込んだ前記排気室（９）内の空気と外気とを混合室（１２）内で混合し、
前記混合室（１２）内の空気を、送風機設置室（１５）、加湿制御室（１７）及び冷却室（２０）を通過させながら、供給口（２００１）より前記給気空間（６）に供給することで、給気口（５）を介して前記サーバーラック（２３）に供給するとともに、適宜、加湿器（１８）により加湿し、及び冷却手段（１９）により冷却し、前記給気口（５）よりサーバーラック（２３）内に供給する空気を所望する湿度及び温度にすることを特徴とするコンピューターサーバールーム用温度管理システム。
【請求項２】
前記空調機（２）に、前記サーバーラック（２３）から排気された空気の温度を監視するためのセンサー（２０ｃ）と、外気の温度を監視するためのセンサー（２０ｄ）と、混合室（１２）から供給された空気の温度及び湿度を監視するためのセンサー（２０ｂ）、及び供給口（２００１）より供給する空気の温度及び湿度を監視するためのセンサー（２０ａ）を備えたことを特徴とする請求項１に記載のコンピューターサーバールーム用温度管理システム。
【請求項３】
請求項１又は請求項２に記載のコンピューターサーバールーム用温度管理システムを用いたコンピューターサーバールームの温度管理方法であって、
前記サーバーラック（２３）内の空気を、前記吸入室（７）及び排気取り込み口（８）を介して前記排気室（９）に取り込み、
前記供給口（２００１）の温度湿度に応じて、
前記外部排気口（１０）を介して、排気室（９）に取り込んだ空気を０〜１００％の間で外部に排気し、
前記循環口（１１）を介して、前記排気室（９）内の空気を混合室（１２）に取り込み、
前記外気取り込み口（１３）を介して、前記外部排気口（１０）を介して外部に排気した空気量に応じて、外気を０〜１００％の間で前記混合室（１２）に取り込み、それにより、前記循環口（１１）を介して取り込んだ前記排気室（９）内の空気と外気とを混合室（１２）内で混合し、
前記混合室（１２）内の空気を、送風機設置室（１５）、加湿制御室（１７）及び冷却室（２０）を通過させながら、供給口（２００１）より前記給気空間（６）に供給することで、給気口（５）を介して前記サーバーラック（２３）に供給するとともに、適宜、加湿器（１８）により加湿し、及び冷却手段（１９）により冷却し、前記給気口（５）よりサーバーラック（２３）内に供給する空気を所望する湿度及び温度にすることを特徴とするコンピューターサーバールームの温度管理方法。
【発明の詳細な説明】
【技術分野】
【０００１】
本発明はコンピューターサーバールーム用温度管理システム及びそれを用いたコンピューターサーバールームの温度管理方法に係り、より詳しくは、温度及び湿度のムラの発生を防止しつつコンピューターサーバールーム内の温度及び湿度を管理可能であるとともに、省エネを達成可能としたコンピューターサーバールーム用温度管理システム及びそれを用いたコンピューターサーバールームの温度管理方法に関する。
【背景技術】
【０００２】
従来のコンピューターサーバールーム内の温度管理の方法では、サーバールームの広さに応じて、必要数のパッケージエアコンを壁側に設置するとともに、コンピューターの温度上昇による熱暴走や故障を防止するために、このパッケージエアコンを２４時間、３６５日運転していた。
【０００３】
しかしながら、このような壁側にパッケージエアコンを設置する従来の方法では、サーバールーム内のすべてを、理想といわれる温度２５℃、湿度５０％ＲＨにすることができず、熱が取れない箇所が生じてしまい、そのために、サーバールーム内の温度及び湿度にムラが発生し、それにより、熱が十分に取れない箇所に設置してあるコンピューターに、不安定などの不具合等が生じていた。
【０００４】
また、従来の方法では、パッケージエアコンを２４時間、３６５日運転していたために、消費電力が膨大なものとなっていた。
【発明の概要】
【発明が解決しようとする課題】
【０００５】
本発明は、コンピューターサーバールームの温度管理において、温度及び湿度のムラの発生を防止しつつ、コンピューターサーバールーム内の温度及び湿度を確実に管理可能であるとともに、温度及び湿度の管理に際して省エネを達成可能としたコンピューターサーバールーム用温度管理システム及びそれを用いたコンピューターサーバールームの温度管理方法を提供することを課題としている。
【課題を解決するための手段】
【０００６】
本発明は、コンピューターサーバールーム内に設置された、内部にコンピューターサーバーが収容されたサーバーラック内に、所望する温度及び湿度にした空気を供給し、それにより、前記サーバーラック内の温度を管理するためのコンピューターサーバールーム用温度管理システムであって、
サーバーラックの天井に配置される排気口と、
排気路を介して前記排気口と連通された空調機と、
供給口を介して前記空調機に連通されるとともに、給気口を介して前記サーバーラックに連通した、コンピューターサーバールームの床下に形成された給気空間と、を備え、
前記空調機は、
前記排気路に連通した吸入室と、
排気ファンを備えた排気取り込み口を介して前記吸入室に連通するとともに、前記排気取り込み口を介して内部に取り込んだサーバーラックからの排気を空調機の外部に排出するための外部排気口を有した排気室と、
開閉自在とした循環口を介して前記排気室と連通するとともに、空調機の外部の空気を取り込むための外気取り込み口を有した混合室と、
フィルターを介して前記混合室に連通するとともに、その内部に送風機を備えた送風機設置室と、
前記送風機を介して前記送風機設置室に連通するとともに、その内部に加湿器を備えた加湿制御室と、
冷却手段を介して前記加湿制御室に連通するとともに、前記供給口を介して前記給気空間に連通した冷却室と、を備えて、
前記サーバーラック内の空気を、前記吸入室及び排気取り込み口を介して前記排気室に取り込み、
前記供給口での温度湿度に応じて、
前記外部排気口を介して、排気室に取り込んだ空気を０〜１００％の間で外部に排気し、
前記循環口を介して、前記排気室内の空気を混合室に取り込み、
前記外気取り込み口を介して、前記外部排気口を介して外部に排気した空気量に応じて、外気を０〜１００％の間で前記混合室に取り込み、それにより、前記循環口を介して取り込んだ前記排気室内の空気と外気とを混合室内で混合し、
前記混合室内の空気を、送風機設置室、加湿制御室及び冷却室を通過させながら、供給口より前記給気空間に供給することで、給気口を介して前記サーバーラックに供給するとともに、適宜、加湿器により加湿し、及び冷却手段により冷却し、前記給気口よりサーバーラック内に供給する空気を所望する湿度及び温度にすることを特徴としている。
【０００７】
また、このコンピューターサーバールーム用温度管理システムを用いた本発明のコンピューターサーバールームの温度管理方法は、
サーバーラック内の空気を、前記吸入室及び排気取り込み口を介して前記排気室に取り込み、
前記供給口での温度湿度に応じて、
前記外部排気口を介して、排気室に取り込んだ空気を０〜１００％の間で外部に排気し、
前記循環口を介して、前記排気室内の空気を混合室に取り込み、
前記外気取り込み口を介して、前記外部排気口を介して外部に排気した空気量に応じて、外気を０〜１００％の間で前記混合室に取り込み、それにより、前記循環口を介して取り込んだ前記排気室内の空気と外気とを混合室内で混合し、
前記混合室内の空気を、送風機設置室、加湿制御室及び冷却室を通過させながら、供給口より前記給気空間に供給することで、給気口を介して前記サーバーラックに供給するとともに、適宜、加湿器により加湿し、及び冷却手段により冷却し、前記給気口よりサーバーラック内に供給する空気を所望する湿度及び温度にすることを特徴としている。
【発明の効果】
【０００８】
本発明では、サーバーラックの天井に配置した排気口を介してサーバーラック内の排熱の回収を行なうとともに、所望する温度及び湿度に制御した空気を、サーバーラックに形成した給気口に連通したコンピューターサーバールームの床下の給気空間を介して、サーバーラック内に供給するため、サーバーラック単位でサーバーラック内をムラ無く所望する温度、湿度にすることが可能である。
【０００９】
また、本発明では、サーバーラックに供給する空気を所望する温度及び湿度にするに際して、供給口での温度湿度に応じて、０〜１００％の間でサーバーラックからの排気を外部に排出するとともに、この排出量に応じて外気を取り込んで、サーバーラックからの排気と外気とを混合することとしており、それにより、加湿器、冷却手段の作動を最小限度にすることができるため、パッケージエアコンを２４時間、３６５日運転していた従来の方法と異なり、消費電力を抑えて省エネを達成することが可能である。
【図面の簡単な説明】
【００１０】
【図１】本発明のコンピューターサーバールーム用温度管理システムの実施例の構成を示すブロック図である。
【図２】本発明のコンピューターサーバールーム用温度管理システムの実施例の制御系を説明するためのブロック図である。
【図３】本発明のコンピューターサーバールームの温度管理方法の実施例を説明するためのフローチャートである。
【図４】本発明のコンピューターサーバールームの温度管理方法の実施例を説明するためのブロック図である。
【図５】本発明のコンピューターサーバールームの温度管理方法の実施例を説明するためのブロック図である。
【発明を実施するための形態】
【００１１】
本発明のコンピューターサーバールーム用温度管理システムは、コンピューターサーバールーム内に設置される１又は複数のサーバーラックを有しており、サーバーラック内には、コンピューターサーバーが収容されている。
【００１２】
そして、サーバーラックの天井には排気口を配置しており、この排気口には、排気路を介して空調機が連通され、この空調機内において、前記サーバーラックから排気された空気を０〜１００％の間で外部に排出するとともにこの排出量に応じた量の外気を取り込むことで、前記サーバーラックから排気された空気と外気が混合され、所望する温度、湿度に制御した空気が生成される。
【００１３】
また、本発明において前記コンピューターサーバールームの床下には給気空間が形成されており、この給気空間は、供給口を介して前記空調機に連通されるとともに、給気口を介して、前記サーバーラックに連通し、これにより、前記空調機内で所望する温度、湿度にされた空気が、コンピューターサーバールームの床下の給気空間を介して、給気口より、サーバーラック内に供給される。
【００１４】
そして、前記空調機は、吸入室と、排気室と、混合室と、送風機設置室と、加湿制御室と、冷却室を備えており、吸入室は排気路に連通し、これにより、サーバーラックから排気された空気を吸入室に受け入れることとしている。
【００１５】
また、排気室は、排気ファンを備えた排気取り込み口を介して前記吸入室に連通しており、これにより、吸入室及び排気取り込み口を介して、サーバーラックからの排気を排気室に取り入れることを可能にしている。
【００１６】
更に、排気室は外部排気口を有しており、この外部排気口を介して、排気取り込み口を介して内部に取り込んだサーバーラックからの排気を空調機の外部に排出可能としている。
【００１７】
そして、排気室には、開閉自在とした循環口を介して混合室が連通しており、この混合室は、空調機の外部の空気を取り込むための外気取り込み口を有し、排気室の外部排気口を介して空調機の外部に排気した空気量に応じて、外気を取り込むこととしている。
【００１８】
また、混合室には、フィルターを介して送風機設置室が連通しており、この送風機設置室内には送風機が備えられている。
【００１９】
更に、送風機設置室には、送風機を介して加湿制御室が連通しており、この加湿制御室内には、加湿器が備えられ、送風機設置室から供給された空気に対して、加湿制御室内で適宜加湿が行われる。
【００２０】
更にまた、加湿制御室には、冷却コイル等の冷却手段を介して冷却室が連通するとともに、冷却室は供給口を有しており、この供給口を介して、冷却室は、前記給気空間に連通している。そのため、加湿制御室内の空気は、冷却手段を介して冷却室内に供給された後に供給口を介して給気空間に供給されるとともに、冷却手段を通過する際に、適宜、冷却手段によって冷却される。
【００２１】
そして、このように構成されるコンピューターサーバールーム用温度管理システムを用いた本発明のコンピューターサーバールームの温度管理方法では、前記サーバーラック内の空気を吸入室に受け入れるとともに、吸入室に受け入れた空気を、排気取り込み口を介して排気室に取り込む。
【００２２】
そして、供給口での温度湿度に応じて、前記外部排気口を介して、排気室に取り込んだ空気を０〜１００％の間で外部に排気する。
【００２３】
次に、排気室内に残っている空気を、循環口を介して混合室内に取り込むとともに、外部排気口から排気した空気量に応じて、外気取り込み口を介して、外気を０〜１００％の間で前記混合室に取り込んで、混合室内において、サーバーラックから排気された空気と外気とを混合する。
【００２４】
そしてその後に、前記混合室内の空気を、送風機設置室、加湿制御室及び冷却室を通過させながら、供給口より、サーバールームの床下の前記給気空間に供給することで、給気口を介して前記サーバーラックに供給するとともに、適宜、加湿器により加湿し、及び冷却手段により冷却し、前記給気口よりサーバーラック内に供給する空気を所望する湿度及び温度にする。
【実施例１】
【００２５】
本発明のコンピューターサーバールーム用温度管理システム（以下単に「温度管理システム」という。）の実施例について図面を参照して説明すると、図１は、本実施例の温度管理システムの構成を説明するためのブロック図であり、図において１が本実施例の温度管理システムである。
【００２６】
また、図において２２はコンピューターサーバールームの床面、２３は、コンピューターサーバールーム内に設置されたサーバーラックであり、図示を省略するが、このサーバーラック２３内には、コンピューターサーバーが収容されている。そして、本実施例の温度管理システム１では、サーバーラック２３内の温度及び湿度を、コンピューターサーバーにとって最適な温度及び湿度にするために用いられる。
【００２７】
即ち、図において、本実施例の温度管理システムでは、前記サーバーラック２３の天井に複数個の排気口３が配置されており、この排気口３はそれぞれ、排気路としての排気ダクト４に連結されている。
【００２８】
一方、本実施例の温度管理システムでは、前記コンピューターサーバールームの床下に給気空間６が形成されており、この給気空間６は、コンピューターサーバールームの床面２２に形成した給気口５を介して、前記サーバーラック２３に連通している。
【００２９】
そして、前記排気路ダクト４及び、給気空間６はそれぞれ、空調機２に連結されており、サーバーラック２３内の空気を、排気口３及び排気ダクト４を介して空調機２内に排気し、空調機２内においては、この排気されたサーバーラック２３内の空気を、適宜外気と混合しながら、所望する温度及び湿度にし、その後に、この所望する温度及び湿度にした空気を、給気空間６及び給気口５を介してサーバーラック２３内に供給し、これにより、サーバーラック２３内の温度及び湿度を、コンピューターサーバーにとって最適な温度及び湿度にすることを可能としている。
【００３０】
ここで、前記空調機２について説明すると、本実施例において前記空調機２は、前記排気ダクト４及び排気口３を介して前記サーバーラック２３に連通された吸入室７を有しており、サーラーバック２３からの排気を吸入室７内に受け入れることとしている。
【００３１】
そして、吸入室７の下方には排気取り込み口８を介して排気室９が連通しており、吸入室７に受け入れたサーバーラック２３からの排気を、排気取り込み口８を介して排気室９内に排気することとしている。
【００３２】
即ち、前記排気取り込み口８内には排気ダンパー８０１が備えられ、更にこの排気ダンパー８０１の上方には、排気ファン８０２が備えられ、これにより、排気ファン８０２を駆動することで、前記サーバーラック２３内の空気を、排気口３、排気ダクト４及び吸入室７を介して、排気室９内に排気することを可能としている。
【００３３】
また、本実施例の温度管理システムでは、排気室９内に温度センサー２０ｃを配置しており、これにより、前記サーバーラック２３から排気された空気の温度を監視可能としている。
【００３４】
なお、本実施例においては、前記排気取り込み口８を２箇所に備えるとともに、それぞれの内部に排気ダンパー８０１及び排気ファン８０２を備え、一方を通常使用、他方を非常時使用として使用可能としている。但し、必ずしもこのようにする必要はなく、排気取り込み口８、排気ダンパー８０１及び排気ファン８０２は１組でもよい。
【００３５】
次に、図において１０は外部排気口である。即ち、本実施例の温度管理システム１では、前記排気室９に外部排気口１０を有しており、前記排気取り込み口８を介して排気室９の内部に取り込んだサーバーラック２３からの排気を、０〜１００％の間で、空調機２の外部に排出することとしている。
【００３６】
そして、本実施例において前記外部排気口１０には、外部排気ダンパー１００１を有しており、この外部排気ダンパー１００１により外部排気口１０を開閉自在としている。
【００３７】
次に、前記排気室９の下方には混合室１２が配設されており、排気室９と混合室１２は、内部に循環ダンパー１１０１を備えた循環口１１により開閉自在に連通し、これにより、循環口１１を介して、排気室９内の空気を混合室１２に取り込むことを可能にしている。
【００３８】
また、前記混合室１２は、空調機２の外部の外気を内部に取り込むための外気取り込み口１３を有しており、この外気取り込み口１３内には外気取り込みダンパー１３０１が備えられ、この外気取り込みダンパー１３０１により、前記外気取り込み口１３は、開閉自在とされている。そしてこれにより、外気取り込み口１３から外気を取り込んだ場合には、混合室１２内において、排気室９から取り込んだ空気と外気とが混合されることとしている。
【００３９】
なお、図において２０ｄは温度センサーである。即ち、本実施例の温度管理システム１では、外気取り込み口１３の近傍に温度センサー２０ｄを配置しており、これにより、外気の温度を監視可能としている。
【００４０】
次に、前記混合室１２の下方には、送風機設置室１５が配設されている。そして、前記混合室１２と送風機設置室１５間にはエアーフィルター１４が介在されており、このエアーフィルター１４を介して混合室１２と送風機設置室１５は連通している。
【００４１】
また、送風機設置室１５には、送風ファン１６が備えられており、この送風ファン１６を駆動することで、前記サーバーラック２３から排気室９内に排気された空気を、所望する温度及び湿度にした後に、給気空間６及び給気口５を介してサーバーラック２３内に供給することが可能となる。
【００４２】
更に、送風機設置室１５内には、エアーフィルター１４を介して送風機設置室１５に送り込まれた空気の温度及び湿度を監視するための温湿度センサー２０ｂであり、この温湿度センサー２０ｂにより、混合した空気の温湿度を監視可能としている。
【００４３】
即ち、前記送風機設置室１５の下方には、加湿器１８を備えた加湿制御室１７が配設されており、この加湿制御室１７において、必要に応じて加湿器１８を作動させることで、前記送風ファン１６を介して送風機設置室１５から送り込まれた空気の湿度が最適な値に制御される。
【００４４】
また、加湿制御室１７の下方には冷却室２０が配設されるとともに、加湿制御室１７と冷却室２０間には冷却手段が備えられており、本実施例においてこの冷却手段は、室外機２１に接続された冷却コイル１９としている。そしてこれにより、前記加湿制御室１７から送り込まれた空気の温度が所望する温度に制御される。
【００４５】
次に、図において２００１は、冷却室２０内の空気を前記給気空間６に供給するための供給口である。即ち、前記冷却室２０は供給口２００１によって前記給気空間６に連通しており、これにより、空調機２内で所望する温度及び湿度に制御された空気を、給気空間６、給気口５を介してサーバーラック２３内に供給することを可能にしている。
【００４６】
なお、図において２０ａは、冷却室２０における供給口２００１の近傍に配置した温湿度センサーであり、この温湿度センサー２０ａの検知結果に基づいて、加湿制御及び、温度制御が行われる。
【００４７】
次に、本実施例の温度管理システム１の制御系について図２を参照して説明すると、本実施例の温度管理システム１では、システム全体の作動を制御するための制御部を有しており、この制御部はマイコン等を用いるとよい。
【００４８】
そして、前記制御部には、前記排気ダンパー８０１、排気ファン８０２、外部排気ダンパー１００１、循環ダンパー１１０１、外気取り込みダンパー１３０１、送風ファン１６、加湿器１８、冷却コイル１９と室外機を制御するための冷却手段の他、各種操作スイッチを備えた操作パネル及び電源が接続されており、これにより、排気ダンパー８０１、排気ファン８０２、外部排気ダンパー１００１、循環ダンパー１１０１、外気取り込みダンパー１３０１、送風ファン１６、加湿器１８、冷却手段は、制御部からの指示によりその作動が制御される。
【００４９】
また、前記制御部には、前記センサー２０ａ、２０ｂ、２０ｃ、２０ｄが接続されており、制御部は、これらのセンサー２０ａ、２０ｂ、２０ｃ、２０ｄから送信されてくる温度等の検知結果に基づいて、前記排気ダンパー８０１、排気ファン８０２、外部排気ダンパー１００１、循環ダンパー１１０１、外気取り込みダンパー１３０１、送風ファン１６、加湿器１８、冷却手段等に作動の指示を出すこととしている。
【００５０】
次に、このように構成された本実施例の温度管理システムを用いたコンピューターサーバールームの温度管理方法について図３のフローチャートを参照して説明すると、本実施例の温度管理方法において温度管理を行う場合には、まず、予め、サーバーラック２３内にとっての最適な温湿度を制御部に設定するとともに、サーバーラック２３から排気された空気の温湿度、外気の温湿度等の諸条件に応じた、サーバーラック２３から排気された空気を最適な温湿度にするために必要な各種の演算方法等を制御部に設定しておき、その後に、空調機１の運転を開始する。
【００５１】
即ち、図において、空調機１の運転が開始されると、排気ダンパー８０１が開放されるとともに、排気ファン８０２及び送風ファン１６が駆動する。
【００５２】
そうすると、Ｓ１において、前記サーバーラック２３内の空気は、排気口３及び排気ダクト４を介して吸入室７内に受け入れられた後に、排気室９内に排気される。そして、排気室９内の空気は混合室１２内に取り込まれ、混合室１２内の空気は、送風機設置室１５、加湿制御室１７及び冷却室２０の順に送り込まれた後に、供給口２００１を介して給気空間６に供給される。
【００５３】
一方、運転開始とともに、Ｓ２において、温湿度センサー２０ａ、２０ｂ、２０ｃ、２０ｄにより、冷却室２０における供給口２００１の近傍の温湿度、送風機設置室１５内の温室度、排気室９内の温度、及び、外気の温度等の監視が行われる。
【００５４】
そして、供給口２００１近傍での温度湿度に応じて、制御部は、Ｓ３において、外部排気ダンパー１００１の作動を制御して、排気室９に取り込んだ空気を、０〜１００％の間で外部排気口１０から排気し、残りの空気は、循環口１１を介して混合室１２内に送り込まれる。
【００５５】
一方、制御部は、Ｓ４において、外部排気口１０を介して外部に排気した空気量に応じて、前記外気取り込み口１３を介して、外気を０〜１００％の間で前記混合室１２内に取り込み、これにより、排気室９から取り込んだ空気と外気とが混合室１２内で混合される。
【００５６】
この混合割合について説明すると、本実施例の温度管理方法は、サーバーラックに供給する空気を所望する温度及び湿度にするに際して、加湿器や冷却手段の作動を最小限度にすることで、パッケージエアコンを２４時間、３６５日運転していた従来の方法と比較して消費電力を抑えて省エネを達成することを目的としている。そのために、本実施例の温度管理方法では、供給口での温度湿度に基づいて、サーバーラック２３からの排気と、空調機の外の外気を、どの程度の割合で混合することで、加湿器、冷却手段の作動を最小限に抑えながら、サーバーラックに供給する空気の温湿度を所望する温度、湿度にすることができるかどうかを、制御部において演算し、その演算結果に基づいて、外部排気ダンパー１００１、外気取り込みダンパー１３０１の作動を制御することとしている。
【００５７】
例えば、サーバーラック２３からの排気比エンタルピーよりも外気比エンタルピーが高い場合において、外気を一定割合で取り込むよりも、サーバーラック２３からの排気の全量を循環した方が冷却手段の作動を抑えることができると判断した場合には、外部排気を０にする選択がなされる。
【００５８】
それに対して、サーバーラック２３からの排気比エンタルピーよりも外気比エンタルピーが低い場合等、外気を取り込んでサーバーラック２３からの排気と外気を混合した方が、サーバーラック２３からの排気の全量を循環する場合よりも冷却手段の作動を抑えることができる場合には、加湿器、冷却手段の作動を最小限度に抑えることができる混合割合を制御部が演算して、それに基づいて、サーバーラック２３からの排気と外気を混合する。
【００５９】
なお、図４及び図５は、本実施例の温度管理方法における空気の流れを示した図であり、図４は、サーバーラック２３からの排気と外気を混合した場合の空気の流れを示し、図５は、サーバーラック２３からの排気の全量を循環した場合の空気の流れを示している。
【００６０】
次に、前記送風機設置室１５内に配置された温湿度センサー２０ｂの検知温湿度に基づいて、加湿器１６及び冷却コイル１８が駆動する。
【００６１】
即ち、予め、操作スイッチ等を用いて所望する湿度を設定しておき、エアーフィルター１４を通過して送風機設置室１５内に取り込まれた空気の湿度が前記予め設定した湿度と異なるときには、Ｓ５において、加湿器１８を駆動して、サーバーラック２３に供給する空気の湿度を所望する値に制御する。
【００６２】
また同様に、予め、操作スイッチ等を用いて所望する温度を設定しておき、エアーフィルター１４を通過して送風機設置室１５内に取り込まれた空気の温度が前記予め設定した温度と異なるときには、Ｓ６において、冷却コイル１９を駆動して、サーバーラック２３に供給する空気の温度を所望する値に制御する。
【００６３】
そして、エアーフィルター１４を通過して送風機設置室１５内に取り込まれた空気の温度及び湿度が所望する温度及び湿度と一致しているときには、加湿器１８及び冷却コイル１９のいずれも駆動しない（Ｓ７、Ｓ８）。
【００６４】
そして、このようにして、空調機１内において温度及び湿度を所望する値に制御された空気は、供給口２００１から給気空間６に供給された後に、Ｓ９において、給気口５よりサーバーラック２３に供給される。
【００６５】
このように、本実施例の温度管理システムでは、サーバーラックの天井に配置した排気口を介してサーバーラック内の排熱の回収を行なうとともに、所望する温度及び湿度に制御した空気をコンピューターサーバールームの床下に形成した給気空間、及び給気口を介してサーバーラック内に供給するために、サーバーラック内をムラ無く所望する温度、湿度にすることが可能である。
【００６６】
そしてそのとき、本実施例の温度管理システムでは、供給口２００１の温度湿度に応じて、０〜１００％の間でサーバーラックからの排気を外部に排出するとともに、この排出量に応じて外気を取り込んで、サーバーラックからの排気と外気とを混合することとし、それにより、加湿器、冷却手段の作動を最小限度にすることを可能にしているため、パッケージエアコンを２４時間、３６５日運転していた従来の方法と異なり、消費電力を抑えて省エネを達成することが可能である。
【産業上の利用可能性】
【００６７】
本発明によれば、温度及び湿度のムラの発生を防止しつつ、コンピューターサーバールーム内の温度及び湿度を確実に管理可能であるため、温度及び湿度を常に理想値に維持しなければならない各種ルームにおける温度管理の全般に適用可能である。
【符号の説明】
【００６８】
１    温度管理システム
２    空調機
３    排気口
４    排気ダクト
５    給気口
６    給気空間
７    吸入室
８    排気取り込み口
８０１    排気ダンパー
８０２    排気ファン
９    排気室
１０    外部排気口
１００１    外部排気ダンパー
１１    循環口
１１０１    循環ダンパー
１２    混合室
１３    外気取り込み口
１３０１    外気取り込みダンパー
１４    エアーフィルター
１５    送風機設置室
１６    送風ファン
１７    加湿制御室
１８    加湿器
１９    冷却コイル
２０    冷却室
２００１    供給口
２１    室外機
２１ａ、２１ｂ、２１ｃ、２１ｄ    センサー
２２    コンピューターサーバールームの床面
２３    サーバーラック
【図１】
2010266085.tif 000003
【図２】
2010266085.tif 000004
【図３】
2010266085.tif 000005
【図４】
2010266085.tif 000006
【図５】
2010266085.tif 000007